(57)【要約】  本発明は、無線アクセス技術を使用して、移動局（ＭＳ）から無線周波数信号（ＲＦＳ）の送信のために、移動局（ＭＳ）で送信モードを選択するための方法（ＭＥＴ１）に関する。方法（ＭＥＴ１）は、移動局（ＭＳ）で、送信のために無線アクセス技術の２つ以上の送信モードの１つを選択するステップ（Ｍ１／５）と、２つ以上の送信モードの選択された１つを用いて、移動局（ＭＳ）から無線周波数信号（ＲＦＳ）を送信するステップ（Ｍ１／１７）とを含む。本発明は、移動局（ＭＳ）、ネットワーク・ノード（ＮＮ）、および通信ネットワーク（ＲＣＳ）にさらに関する。
2015510294.tif 000002
【特許請求の範囲】
【請求項１】
無線アクセス技術を使用して、移動局（ＭＳ）から無線周波数信号（ＲＦＳ）の送信のために、前記移動局（ＭＳ）で送信電力モードを選択するための方法（ＭＥＴ１）であって、
前記送信のために、前記移動局（ＭＳ）で、前記無線アクセス技術の少なくとも２つの送信電力モードの１つを選択するステップ（Ｍ１／５）と、
前記移動局（ＭＳ）から無線通信ネットワーク（ＲＣＳ）のネットワーク・ノード（ＮＮ、ＢＳ）に、前記少なくとも２つの送信電力モードの前記選択された１つの選択情報（ＳＥＬ−ＩＮＦＯ）を送信するステップ（Ｍ１／６）と、
前記ネットワーク・ノード（ＮＮ、ＢＳ）で、前記少なくとも２つの送信電力モードの前記選択された１つを承認または拒否するステップ（Ｍ１／１３）と、
前記少なくとも２つの送信電力モードの前記選択された１つの選択が承認されるか拒否されるかに関する決定情報（ＤＥＣ−ＩＮＦＯ）を前記ネットワーク・ノード（ＮＮ、ＢＳ）から前記移動局（ＭＳ）に送信するステップ（Ｍ１／１４）と、
前記少なくとも２つの送信電力モードの前記選択された１つを使用するか、または前記ネットワーク・ノード（ＮＮ、ＢＳ）によって必要とされる他の送信電力モードを使用して、前記移動局（ＭＳ）から前記無線周波数信号（ＲＦＳ）を送信するステップ（Ｍ１／１７）と
を含む方法（ＭＥＴ１）。
【請求項２】
前記少なくとも２つの送信電力モードの前記１つは、前記移動局（ＭＳ）に格納される前記少なくとも２つの送信電力モードの前記１つのユーザ事前選択を介して前記移動局（ＭＳ）によって選択されるか、または前記少なくとも２つの送信電力モードの前記１つは、前記移動局（ＭＳ）のユーザ・インターフェース（ＭＳ−ＵＩ）を介して前記移動局（ＭＳ）のユーザによって選択される、請求項１に記載の方法（ＭＥＴ１）。
【請求項３】
前記移動局（ＭＳ）は、加入者識別モジュール（ＭＳ−ＳＩＭ）を含み、前記ユーザ事前選択は、前記加入者識別モジュール（ＭＳ−ＳＩＭ）に格納される、請求項２に記載の方法（ＭＥＴ１）。
【請求項４】
前記移動局（ＭＳ）は、前記移動局（ＭＳ）の電源ユニット（ＭＳ−Ｂ）の充電状態に基づいて、または事前定義された領域（ＨＬ）に対して前記少なくとも２つの送信電力モードの少なくとも１つの事前選択を含む場所マップと前記移動局（ＭＳ）の現在の場所との比較に基づいて、前記少なくとも２つの送信電力モードの前記１つを選択する、請求項２に記載の方法（ＭＥＴ１）。
【請求項５】
前記ユーザ・インターフェース（ＭＳ−ＵＩ）を介して、他の事前定義された領域に対して前記少なくとも２つの送信電力モードの他の事前選択を追加するステップ（Ｍ２／１）、または前記ユーザ・インターフェース（ＭＳ−ＵＩ）を介して、前記事前選択の１つを削除するステップ（Ｍ２／１）と、
前記追加された他の事前選択または前記事前選択の前記削除された１つの情報をデータベース（ＤＢ）に提供するステップ（Ｍ２／２、Ｍ２／３）と、
前述の情報を用いて前記データベース（ＤＢ）を更新（Ｍ２／４）するステップと
を含むか、または
前記移動局（ＭＳ）の現在位置（ＰＯＳ−ＩＮＦＯ）の情報を前記データベース（ＤＢ）に提供するステップ（Ｍ２／１０、Ｍ２／１０−２、Ｍ２／１１）と、
前記データベース（ＤＢ）から無線通信システム（ＲＣＳ）のネットワーク・ノード（ＮＮ、ＢＳ）に、少なくとも１つの送信電力モード制限（ＭＯＤＥ−ＩＮＦＯ）の情報を提供するステップ（Ｍ２／１２、Ｍ２／１３）と
を含む、請求項４に記載の方法（ＭＥＴ２−１、ＭＥＴ２−２）。
【請求項６】
前記ネットワーク・ノード（ＮＮ、ＢＳ）は、前記無線通信ネットワーク（ＲＣＳ）の無線セル（ＲＣ）内で前記移動局（ＭＳ）の場所に基づいて、または電磁放射の影響を受けやすい領域としてラベルされた、またはラベルされていない領域（ＨＬ）内の前記移動局（ＭＳ）の場所に基づいて、前記少なくとも２つの送信電力モードの前記選択された１つを承認または拒否する、請求項１に記載の方法（ＭＥＴ１）。
【請求項７】
前記移動局（ＭＳ）の前記現在の場所に、事前定義された距離内における少なくとも１つの事前選択の情報を送信するために、前記ネットワーク・ノード（ＮＮ、ＢＳ）から前記データベース（ＤＢ）に要求（ＲＥＱ）を送信するステップ（Ｍ１／９）と、
前記データベース（ＤＢ）から前記ネットワーク・ノード（ＮＮ、ＢＳ）に前記情報（ＡＲＥＡ−ＩＮＦＯ１）を送信するステップ（Ｍ１／１１）と
をさらに含み、
電磁放射に対して影響を受けやすい領域としてラベルされた、またはラベルされていない前記領域（ＨＬ）は、前記データベース（ＤＢ）に格納された前記事前選択の１つである、請求項６に記載の方法（ＭＥＴ１）。
【請求項８】
ユーザ・インターフェース（ＭＳ−ＵＩ）を介して、前記移動局（ＭＳ）のユーザに前記決定情報（ＤＥＣ−ＩＮＦＯ）を提供する（Ｍ１／１６）ステップ
をさらに含む、請求項１、６、または７のいずれか１項に記載の方法（ＭＥＴ１）。
【請求項９】
前記少なくとも２つの送信電力モードの第１の送信電力モードは、第１の最大送信電力を用いる電力制御パラメータの第１の組を含み、前記少なくとも２つの送信電力モードの第２の送信電力モードは、前記第１の最大送信電力より大きい第２の最大送信電力を用いる電力制御パラメータの第２の組を含み、前記第１の送信電力モードは、低減された電磁放射のためのエコ・モードであり、前記第２の送信電力モードは、データ・スループットを最大限にするための高パフォーマンス・モードである、請求項１に記載の方法（ＭＥＴ１）。
【請求項１０】
前記高パフォーマンス・モードの前記第２の最大送信電力は、基地局（ＢＳ）によって要求される最大送信電力レベルを１０パーセント上回る値に設定される、請求項９に記載の方法（ＭＥＴ１）。
【請求項１１】
前記移動局（ＭＳ）から無線周波数信号（ＲＳ）の送信のために無線アクセス技術の少なくとも２つの送信電力モードの１つを選択するための手段（ＭＳ−ＣＰＵ、ＭＳ−ＰＲＯＧ、ＭＳ−ＵＩ、ＭＳ−ＳＩＭ）と、
前記移動局（ＭＳ）から無線通信ネットワーク（ＲＣＳ）のネットワーク・ノード（ＮＮ、ＢＳ）に、前記少なくとも２つの送信電力モードの前記選択された１つの選択情報（ＳＥＬ−ＩＮＦＯ）を送信するための手段（ＭＳ−ＡＳ、ＭＳ−ＴＲ）と、
前記少なくとも２つの送信電力モードの前記選択された１つの選択は承認されるか拒否されるかに関して、前記ネットワーク・ノード（ＮＮ、ＢＳ）から決定情報（ＤＥＣ−ＩＮＦＯ）を受信するための手段（ＭＳ−ＴＲ、ＭＳ−ＡＳ）と、
前記少なくとも２つの送信電力モードの前記選択された１つを使用して、または前記ネットワーク・ノード（ＮＮ、ＢＳ）によって必要とされる他の送信電力モードを使用して、前記無線周波数信号（ＲＦＳ）を送信するための手段（ＭＳ−ＴＲ、ＭＳ−ＡＳ）と
を含む移動局（ＭＳ）。
【請求項１２】
前記移動局（ＭＳ）は、加入者識別モジュール（ＭＳ−ＳＩＭ）をさらに含み、前記加入者識別モジュール（ＭＳ−ＳＩＭ）は、前記少なくとも２つの送信電力モードの１つに対してユーザ事前選択を格納するための手段（ＳＩＭ−ＭＥＭ）を含む、請求項１１に記載の移動局（ＭＳ）。
【請求項１３】
無線アクセス技術を適用する移動局（ＭＳ）から無線周波数信号（ＲＦＳ）の送信のために、前記無線アクセス技術の少なくとも２つの送信電力モードの選択された１つの選択情報（ＳＥＬ−ＩＮＦＯ）を受信するための手段（ＮＮ−ＩＮＴ１、ＮＮ−ＴＲ１、ＮＮ−ＩＮＴ２、ＮＮ−ＴＲ２）と、−前記少なくとも２つの送信電力モードの前記選択された１つを承認または拒否するための手段（ＮＮ−ＣＰＵ、ＮＮ−ＰＲＯＧ）と、
前記少なくとも２つの送信電力モードの前記選択された１つの選択は承認されるか拒否されるかに関して、前記移動局（ＭＳ）に決定情報（ＤＥＣ−ＩＮＦＯ）を送信するための手段（ＮＮ−ＩＮＴ２、ＮＮ−ＴＲ２）と
を含む、無線通信ネットワーク（ＲＣＳ）で使用されるネットワーク・ノード（ＮＮ、ＢＳ）。
【請求項１４】
前記ネットワーク・ノード（ＮＮ、ＢＳ）は、セル方式無線アクセス・ネットワーク・ノードの基地局、ワイヤレス・ローカル・エリア・ネットワークのアクセス・ポイント、ネットワーク・コントローラ、移動管理エンティティ、またはユーザ・プロファイルを扱うためのネットワーク・ノードである、請求項１３に記載のネットワーク・ノード（ＮＮ、ＢＳ）。
【請求項１５】
請求項１３に記載のネットワーク・ノード（ＮＮ、ＢＳ）およびアプリケーション・サーバ（ＡＰＰＳ）を含む通信ネットワーク（ＲＣＳ）であって、前記アプリケーション・サーバ（ＡＰＰＳ）は、移動局（ＭＳ）から無線周波数信号（ＲＦＳ）の送信のために、無線アクセス技術の少なくとも２つの送信電力モードの１つに対してユーザ事前選択を格納するための手段（ＡＰＰＳ−ＭＥＭ）を含む、通信ネットワーク（ＲＣＳ）。
【発明の詳細な説明】
【技術分野】
【０００１】
本発明は無線通信に関し、より具体的には限定することなく、無線通信システムにおける送信モードの選択に関する。
【背景技術】
【０００２】
無線通信システムは、移動局のユーザに、ほぼどこでも毎回、接続を提供する。この接続は、無線通信システムのアンテナ・システムからユーザによって所有される移動局に送信され、移動局から無線通信システムのアンテナ・システムに送信される、無線周波数信号によって提供される。
【０００３】
無線周波数信号の出力密度は、無線周波数信号を送信するアンテナ・システムの場所で最大である。そのようなアンテナ・システムからの高出力密度は、外部の無線周波数信号に対して十分に遮蔽されていない電子デバイスを妨害する可能性がある。たとえば、ユーザが自分の移動局を病院に持って行き、ユーザは病院の建物内に位置している場合、移動局は、建物の壁の遮蔽効果により、無線通信システムの基地局に到達するために、最大送信電力で無線周波数信号を送信する可能性がある。無線周波数信号の出力密度は、生命にとって不可欠である電子デバイスを妨害する可能性がある。
【０００４】
小さな温度効果以外には、無線通信中に印加される無線周波数信号が人体に有害な可能性があることは証明されていないが、移動局のユーザは、移動局によって生成される電磁放射の曝露に対してますます敏感になっている。
【０００５】
大きな出力密度を持つ無線周波数信号が移動局によって送信される場合、バッテリまたは蓄電池など移動局の電源は、より小さな出力密度を持つ無線周波数信号の送信と比較して、より早く交換または充電する必要がある。
【先行技術文献】
【非特許文献】
【０００６】
【非特許文献１】３ＧＰＰ  ＴＳ  ３６．２１３  Ｖ１０．２．０、セクション５．１．１
【非特許文献２】３ＧＰＰ  ＴＳ  ３６．２１４  Ｖ１０．１．０、セクション５．１．１．１
【発明の概要】
【発明が解決しようとする課題】
【０００７】
無線通信システムの無線周波数信号を送信するこの方法は、人間および動物だけでなく電子デバイスの動作に影響を及ぼし、またエネルギー消費にさらに影響を及ぼす。
【０００８】
したがって、本発明は、これらの影響を制御し減らすことを目的とする。
【課題を解決するための手段】
【０００９】
この目的は、無線アクセス技術を使用して、移動局から無線周波数信号の送信のために移動局で送信モードを選択するための方法によって達成される。方法は、送信のために、移動局で、無線アクセス技術の２つ以上の送信モードの１つを選択するステップと、移動局から、少なくとも２つの送信モードの選択された１つを使用して、無線周波数信号を送信するステップとを含む。
【００１０】
この目的は、移動局によって、ネットワーク・ノードによって、および通信ネットワークによってさらに達成される。
【００１１】
２つ以上の送信モードの選択は、たとえば、移動局のタッチスクリーン上のユーザ・ダイアログ・ボックスまたはユーザ構成チェックボックスによって、移動局のユーザ・インターフェースを介して提供することができる。
【００１２】
方法では、移動局のユーザ自身が移動局による無線周波数信号の送信に影響を及ぼすことを可能にするという利点が提供される。
【００１３】
好ましい実施形態によれば、方法は、２つ以上の送信モードの選択された１つの選択情報を移動局から無線通信ネットワークのネットワーク・ノードに送信するステップと、ネットワーク・ノードで、２つ以上の送信モードの選択された１つを承認または拒否するステップとをさらに含む。
【００１４】
ネットワーク・ノードは、たとえば、セル方式の無線アクセス・ネットワークの基地局、ＷＬＡＮのアクセス・ポイント（ＷＬＡＮ＝ワイヤレス・ローカル・エリア・ネットワーク）、ＵＭＴＳ（ＵＭＴＳ＝ユニバーサル移動通信システム）で使用されるＲＮＣ（ＲＮＣ＝無線ネットワーク・コントローラ）などのネットワーク・コントローラ、ＬＴＥ（ＬＴＥ＝ロング・ターム・エボリューション）で使用されるようなＭＭＥ（ＭＭＥ＝移動管理エンティティ）、または一般的にユーザ・プロファイルを扱うためのネットワーク・ノードでもよい。
【００１５】
好ましい実施形態では、無線通信ネットワークが、ユーザによって選択された送信モードを拒否または承認することを可能にするという利点が提供される。これにより、ネットワーク・オペレータが、無線通信ネットワーク内のすべての運転条件に関する主な制御を維持することがさらに可能になる。
【００１６】
２つの好ましい実施形態によれば、２つ以上の送信モードは、移動局に格納された２つ以上の送信モードの１つのユーザによる事前選択を介して、移動局によって選択することができるか、または２つ以上の送信モードの１つは、移動局のユーザ・インターフェースを介して移動局のユーザによって選択することができる。
【００１７】
さらに好ましい実施形態によれば、移動局は加入者識別モジュールを含むことができ、ユーザの事前選択は加入者識別モジュールに格納することができる。これにより、オペレータが無線通信ネットワークのそのような特徴を広告し、そのようなユーザの事前選択を格納するように構成された、加入者識別モジュールを販売することが可能になる。
【００１８】
さらに好ましい実施形態によれば、移動局は、移動局のバッテリまたは蓄電池の充電状態に基づいて、２つ以上の送信モードの１つを選択することができる。この実施形態では、移動局のユーザが、データ・スループットを最大限にするために、たとえば、最大送信電力を用いる異なる送信モードを選択している場合でも、たとえば、最大送信電力を下回る事前定義された送信電力を用いる送信モードを移動局が適用することを可能になる。
【００１９】
他の実施形態では、移動局は、低減された電磁放射のために事前定義された領域の場所のマップと移動局の現在の場所との比較に基づいて、２つ以上の送信モードの１つを選択する。移動局の現在の場所は、たとえば、移動局のＧＰＳレシーバ（ＧＰＳ＝全地球測位システム）など、そのような測位信号の受信機で衛星測位システムから測位信号を受信することによって決定することができる。この実施形態について、移動局のユーザは、移動局がそのような比較を実行し、移動局が、移動局の場所に依存して移動局のユーザによって好まれる送信モードを自動的に選択するように、移動局を構成することができる。マップは、たとえば、ユーザが、マップに格納されていない新しい場所で送信モードの選択を手作業でするか、またはユーザが、既に格納されている場所で以前とは異なる選択を手作業でするたびに、さらなる入力によって更新および拡張することができる。
【００２０】
さらに好ましい実施形態によれば、方法は、ユーザ・インターフェースを介して、低減された電磁放射のためにさらに事前定義された領域を追加するか、またはユーザ・インターフェースを介して、低減された電磁放射のために２つ以上の事前定義された領域の１つを削除するステップと、追加された他の事前定義された領域または削除された事前定義された領域の情報をデータベースに提供するステップと、情報でデータベースを更新するステップとをさらに含むことができる。アプリケーション・サーバまたはいわゆるネットワーク・クラウドのネットワーク・ノードのグループは、データベースを含むことができる。さらに好ましい実施形態では、データベースに事前定義された領域を格納するという利点が提供される。これにより、場所に特有の情報を更新し（たとえば病院のリストおよびそれらの位置データ）、シグナリング・オーバーヘッド（それらの更新をモバイルに通信する必要を回避することによる）およびモバイルの記憶装置のスペースを節約するための中心的な地点が提供される。さらに、移動局が盗まれたり、または他の方法で失われたりしても、情報は失われない。ネットワーク・クラウドがモバイルのユーザ位置データについて通知されており、移動局が、送信モードの変更が望ましい、影響を受けやすい領域にある場合に、ネットワーク・ノード（たとえば基地局）に通知することができる場合、移動局へのダウンロードは必要ではない。そうでない場合、データベースに格納された低減された電磁放射のために事前定義された領域の集合は、ユーザまたは加入者の他の移動局にダウンロードすることができるため、ユーザまたは加入者は、新しい移動局で低減された電磁放射のために事前定義された領域の同じ集合を使用することができるか、またはユーザまたは加入者は、ユーザまたは加入者によって使用される異なる移動局に、低減された電磁放射のために事前定義された領域の同じ集合をダウンロードすることができる。
【００２１】
さらに好ましい実施形態によれば、第１の送信モードは、たとえば、最大送信電力を下回る制限された送信電力を用いる第１の送信電力モードでもよく、第２の送信モードは、たとえば、最大送信電力を用いる第２の送信電力モードでもよい。
【００２２】
好ましくは、第１の送信電力モードは、第１の最大送信電力を用いる、第１のいわゆる断片的な経路損失補償要素、第１のＳＩＮＲターゲット値（ＳＩＮＲ＝信号対干渉雑音比）など電力制御パラメータの第１の組によって規定することができ、第２の電力モードは、第１の最大送信電力より大きい第２の最大送信電力を用いる、第２の断片的な経路損失補償要素、第２のＳＩＮＲターゲット値など電力制御パラメータの第２の組によって規定することができる。
【００２３】
さらに好ましくは、第１の送信電力モードは、低減された電磁放射のためのエコ・モードであり、かつ／または第２の送信電力モードは、移動局から無線通信ネットワークへのデータ・スループットを最大限にするための高パフォーマンス・モードである。
【００２４】
さらに好ましい実施形態によれば、ネットワーク・ノードは、無線通信ネットワークの無線セル内の移動局の現在の場所に基づいて、または低減された電磁放射のために領域としてラベルされた、またはラベルされていない事前定義された領域内の移動局の現在の場所に基づいて、２つ以上の送信モードの選択された１つを承認または拒否する。
【００２５】
他の実施形態では、方法は、好ましくは移動局の現在の場所への事前定義された距離内における低減された電磁放射のために少なくとも１つの事前定義された領域の情報を送信するために、ネットワーク・ノードからデータベースに要求を送信するステップと、データベースからネットワーク・ノードに情報を送信するステップとを含むことができる。そのため、ネットワーク・ノードは、たとえば最大送信電力を下回る制限された送信電力を用いる第１の送信電力モードまたはたとえば移動局の現在の場所で最大送信電力を用いる第２の送信電力モードなど特定の送信モードを適用することが推奨されるかどうか、最新の情報を受信することができる。
【００２６】
あるいは、移動局または基地局などのネットワーク・ノードは、ネットワーク・クラウドにモバイル・ユーザ位置データを送信し、ネットワーク・クラウドは、移動局が送信モードの変更が望ましい影響を受けやすい領域にある場合に、ネットワーク・ノードに送信モード制限の情報を送信する。送信モード制限は、ネットワーク・ノードについて必須またはオプションでもよい。
【００２７】
好ましくは、方法は、２つ以上の送信モードの選択された１つの選択は承認されるか拒否されるかに関して、ネットワーク・ノードから移動局に決定情報を送信するステップと、前述の移動局のユーザにユーザ・インターフェースを介して決定情報を提供するステップとを含むことができる。これにより、ユーザによる選択が無線通信ネットワークによって承認されたか拒否されたかに関して、移動局のユーザに情報を提供するという利点が提供される。
【００２８】
本発明のさらに有利な特徴は、以下に示す本発明の詳細な説明に規定および記述されている。
【００２９】
本発明の実施形態は、以下の詳細な説明で明白になり、限定を目的としない例示のための添付の図面に示されるだろう。
【図面の簡単な説明】
【００３０】
【図１】本発明の実施形態による基地局、移動局、およびデータベースを含む無線通信システムを概略的に示す図である。
【図２】本発明の実施形態による方法を概略的に示す流れ図である。
【図３】本発明の他の実施形態による他の方法を概略的に示す他の２つの流れ図である。
【図４】本発明の実施形態による移動局を概略的に示すブロック図である。
【図５】本発明の実施形態によるネットワーク・ノードを概略的に示すブロック図である。
【図６】本発明の実施形態によるデータベースを概略的に示すブロック図である。
【図７】本発明のさらに好ましい実施形態による加入者識別モジュールを概略的に示すブロック図である。
【発明を実施するための形態】
【００３１】
図１は、例示的に基地局ＢＳ、移動局ＭＳ、およびデータベースＤＢを含む、無線通信システムＲＣＳを概略的に示している。無線通信システムＲＣＳの他の基地局、他の移動局、および他のネットワーク・ノードは、話を簡単にするために示していない。
【００３２】
無線通信システムＲＣＳは、たとえば、ＩＥＥＥ８０２．１１標準によって規定されたようなＷＬＡＮ（ＷＬＡＮ＝ワイヤレス・ローカル・エリア・ネットワーク）、ＷｉＭＡＸフォーラムによって認可されたワイヤレス・ネットワーク標準のＩＥＥＥ８０２．１６ファミリの１つなどＷｉＭＡＸネットワーク（ＷｉＭＡＸ＝ワールドワイド・インターオペラビリティ・フォー・マイクロウェーブ・アクセス）、または３ＧＰＰ（３ＧＰＰ＝第３世代パートナーシップ・プロジェクト）によって規定されたようなＬＴＥアクセス・ネットワーク（ＬＴＥ＝ロング・ターム・エボリューション）でもよい。「基地局」という用語は、無線基地局、アクセス・ポイント基地局、アクセス・ポイント、マクロセル、マイクロセル、フェムトセル、ピコセルなどと同意語と考えられ、かつ／または参照され、また、１つまたは複数の無線リンクを介して１つまたは複数の移動局にワイヤレス接続を提供する装置を記述することができる。
【００３３】
基地局ＢＳは、たとえばＬＴＥノードＢ、いわゆるフェムトセル、ＩＥＥＥ８０２．１１アクセス・ポイント、またはＷｉＭＡＸ基地局でもよい。
【００３４】
「移動局」という用語は、移動ユニット、モバイル・ユーザ、アクセス端末、ユーザ機器、加入者、ユーザ、遠隔局などと同意語と考えられ、場合によっては以下に参照することができる。
【００３５】
基地局ＢＳは、アンテナ・システムＡＳを含むか、またはリモートでアンテナ・システムＡＳに接続される。
【００３６】
移動局ＭＳは、たとえば、携帯電話、ＬＴＥスマートフォン、ＷＬＡＮおよび／またはＬＴＥインターフェース・カードを用いるノートブックなど携帯用コンピュータ、ＷＬＡＮおよび／またはＬＴＥインターフェースを用いるＵＳＢデータ・スティック、ポケット・コンピュータ、ハンドヘルド・コンピュータ、携帯情報端末、または任意の携帯装置または自動車などの車両に実装できる集積回路でもよい。
【００３７】
データベースＤＢは、図１に示すような無線通信システムＲＣＳの一部でもよく、または無線通信システムＲＣＳに接続された外部ネットワークの一部でもよい（話を簡単にするために図１に図示せず）。
【００３８】
データベースＤＢは、アプリケーション・サーバの一部でもよく（図６を参照）、ネットワーク・サーバのグループを含み、１つまたは複数のアプリケーション・サービスを提供する、いわゆるネットワーク・クラウドの一部でもよい。
【００３９】
データベースＤＢは、各加入者に対して個々に、または加入者のグループもしくはすべての加入者に対してまとめて、たとえば、以下の表１による低減された電磁放射のために事前定義された領域を格納する。
【００４０】
【表１】
2015510294.tif 000003
【００４１】
上記の表に示した事前定義された領域の通信領域は、たとえば、主要な地理的座標の場所からメートル単位の距離値により主要な地理的座標の周りの円形領域として規定することができる。
【００４２】
主要な地理的座標５２°３４，２７４’Ｎ，１３°２５’，７２６Ｅの幼稚園に対して事前定義された領域は、グループＡに属する加入者だけに適用することができる。
【００４３】
主要な地理的座標５２°４７，４７２’Ｎ，１３°１２’，１４５Ｅの住宅に対して事前定義された領域は、加入者Ｂだけに適用することができる。
【００４４】
主要な地理的座標５２°３９，５８１’Ｎ，１３°１０’，４７２Ｅの燃料補給所に対して事前定義された領域は、無線通信システムＲＣＳのすべての加入者に適用することができ、また、無線通信システムＲＣＳを訪問する、たとえば外国の他のオペレータからの加入者に適用することができる。
【００４５】
例示的に、病院ＨＬの場所の周りに事前定義された領域ＰＡを図１に示している。事前定義された領域は、電磁放射の影響を受けやすい領域、または影響を受けにくい領域としてラベルすることができる。そのようなラベルは、無線通信システムＲＣＳのオペレータによって、または政府指揮によって加入者に提供することができる。
【００４６】
アンテナ・システムＡＳは、無線セルＲＣにワイヤレス有効範囲を提供する。
【００４７】
「無線セル」という用語は、セル、セクタ、または無線セクタと同意語と考えることができ、場合によっては、以下に参照することができる。
【００４８】
移動局ＭＳは、無線セルＲＣ内に位置する。
【００４９】
基地局ＢＳは、３ＧＰＰ  ＬＴＥで適用されるような、いわゆるＳ１インターフェースに基づくことができる、たとえば固定された接続線ＣＬによってデータベースＤＢに接続される。
【００５０】
移動局ＭＳは、電磁放射について影響を受けやすいと認識されている領域ＳＡに、またはその近くに位置する。領域ＳＡは、たとえば病院、幼稚園、燃料補給所、または飛行機の場合がある。
【００５１】
移動局ＭＳは、たとえば以下の表２により移動局ＭＳから無線周波数信号ＲＦＳを送信するために２つ以上の送信モードで構成される。
【００５２】
【表２】
2015510294.tif 000004
【００５３】
表２は、第１のエコ・モードＡおよび第２のエコ・モードＢを例示的に含む。たとえば、送信された無線周波数信号ＲＦＳが受信機によって受信されることが疑わしい場合、第１のエコ・モードＡは、移動局ＭＳが、事前定義された最大送信電力レベルＡより高い送信電力を用いて無線周波数信号ＲＦＳを送信することを可能にする。接続損失が起こった場合でも、第２のエコ・モードＢは、事前定義された最大送信電力レベルＡに限定されている。あるいは、本発明による第２のエコ・モードＢなど単一のエコ・モードだけを適用することができる。
【００５４】
エコ・モードＡおよびＢでは、最大送信電力レベルＡは、たとえば、絶対的な最大送信電力レベルの７５％に設定することができ、移動局ＢＳは、無線周波数信号ＲＦＳを送信するために適用することができる。代替案では、最大送信電力レベルＡは、たとえば、基地局ＢＳによって要求される送信電力レベルを１０％下回る値に設定することができる。そのため、移動局ＭＳからの電磁放射、および移動局ＭＳの近くの電子デバイス、人間、または動物への影響が低減される。
【００５５】
高パフォーマンス・モードでは、最大送信電力レベルＢは、たとえば、基地局ＢＳによって要求される最大送信電力レベルを１０％上回る値に設定することができる。そのために、エラーのないアップリンク送信の確率が高くなる。
【００５６】
標準モードまたは通常モードでは、移動局ＭＳは、基地局ＢＳによって要求される送信電力レベルを用いて無線周波数信号ＲＦＳを送信することができる。表２は、断片的な経路損失補償要素αｃをさらに含む。これは、たとえば、ＬＴＥ標準３ＧＰＰ  ＴＳ３６．２１３  Ｖ１０．２．０、セクション５．１．１からよく知られており（以下の等式（２）を参照）、完全な経路損失補償に対して１であり、断片的な補償に対して１未満である。
【００５７】
移動局ＭＳは、たとえば表３により移動局の場所に対して送信モードの事前選択を用いてさらに構成することができる。
【００５８】
【表３】
2015510294.tif 000005
【００５９】
移動局ＭＳは、たとえば、移動局ＭＳのＧＰＳレシーバによって提供することができる測位情報の助けで移動局ＭＳの現在の場所を取得することができる。移動局ＭＳが、表３によって提供される主要な地理的座標の周りの表３の距離値の半径内に位置する場合、移動局ＭＳは、表３によって事前選択される対応する送信モードを適用することができる。領域ＳＡに場所が接近しているため、場所情報に基づいて移動局ＭＳは、無線周波数信号ＲＦＳの送信のために、ＵＭＴＳ（ＵＭＴＳ＝ユニバーサル移動通信システム）、ＬＴＥ、ＩＥＥＥ８０２．１１ｎ、またはＷｉＭＡＸなど無線アクセス技術の２つ以上の送信モードのグループから、領域ＳＡへの無線周波数信号ＲＦＳの影響を低減する送信モードを自動的に選択することができる。代替案では、領域ＳＡを認識している、移動局ＭＳのユーザは、たとえば、移動局ＭＳのグラフィカル・ユーザ・インターフェースを介して領域ＳＡに対する少ない影響で送信モードを選択することができる。この選択の後に、移動局ＭＳは、選択された送信モードを適用することによって無線周波数信号ＲＦＳを送信する。
【００６０】
好ましい実施形態では、基地局ＢＳは、たとえば、データベースＤＢによって提供される情報に基づいて、移動局ＭＳで選択された送信モードを承認または拒否することができる（上記の表１も参照）。
【００６１】
本発明は、図２および対応する記述に関してより詳細に記述されている。
【００６２】
図２を参照すると、本発明の複数の実施形態による方法ＭＥＴ１の流れ図が示されている。方法ＭＥＴ１を実行するためのステップの数は重要ではなく、当業者は理解されるように、ステップの数およびステップの順序は、たとえば、ステップの一部は同時に実行することができる（たとえばステップＭ１／２およびＭ１／３）、ステップの一部は代替ステップでもよい（たとえばステップＭ１／２およびＭ１／３またはステップ１／４）、またはステップの一部は無視してもよい（たとえばステップＭ１／２、Ｍ１／３、Ｍ１／４、Ｍ１／９からＭ１／１２、Ｍ１／１３、Ｍ１／１４からＭ１／１６、および／またはＭ２／１からＭ２／４）など、添付された請求項に規定される本発明の範囲から逸脱することなく変えることができる。方法ＭＥＴ１は、移動局ＭＳによって、アンテナ・システムＡＳによって、ネットワーク・ノードＮＮによって、およびデータベースＤＢによって実行することができる。方法ＭＥＴ１は、他の移動局、他のネットワーク・ノード、および他のデータベースに関して拡張できることは当業者には明白であろう。
【００６３】
ネットワーク・ノードＮＮは、たとえば、好ましくは基地局ＢＳ、ＷＬＡＮのアクセス・ポイント、またはＵＭＴＳで使用されるＲＮＣなどネットワーク・コントローラでもよい。あるいは、ネットワーク・ノードＮＮは、ＬＴＥで使用されるようなＭＭＥまたは一般的にユーザ・プロファイルを扱うためのネットワーク・ノードでもよい。
【００６４】
方法ＭＥＴ１は、移動局ＭＳのユーザが移動局ＭＳをオンにするステップＭ１／１で開始される。あるいは、方法ＭＥＴ１は、事前定義された時間内に定期的に、または、たとえば、移動局ＭＳのグラフィカル・ユーザ・インターフェースを介して移動局ＭＳのユーザの開始によって、ステップＭ１／２、Ｍ１／３、またはＭ１／４から開始することができる。
【００６５】
他のオプションのステップＭ１／２では、移動局ＭＳは、移動局ＭＳに電気エネルギーを供給する移動局ＭＳのバッテリまたは蓄電池の充電状態を検証する。検証は、たとえば次の方法で実行することができる：移動局ＭＳは、第１のステップで、充電状態を測定し、フル充電との比較でパーセント値として測定の結果を提供する。第２のステップで、移動局ＭＳは、パーセント値をパーセントで事前定義されたしきい値と比較する。パーセント値がパーセントで事前定義されたしきい値を下回る場合、充電状態ビットは、たとえば、エコ・モードおよび通常モード（表２を参照）に設定されるが、高パフォーマンス・モードには設定されない。
【００６６】
次のオプションのステップＭ１／３では、移動局ＭＳは、事前定義された領域（表３を参照）に対して２つ以上の送信モードの１つまたは複数の事前選択を含む場所マップを用いて移動局ＭＳの現在の場所を検証する。検証は、たとえば次の方法で実行することができる：移動局ＭＳは、第１のステップで、たとえば、移動局ＭＳのＧＰＳレシーバで衛星から受信された信号を処理することによって、移動局の現在の場所を測定する。次のステップで、測定の結果は、地理的座標として提供することができる。他のステップでは、移動局ＭＳは、表３によって提供される主要な地理的座標への地理的座標の場所に基づいて距離を決定する。距離が表３によって提供される距離値の１つ以下の場合、移動局は、対応する送信モードに対して場所条件ビットを設定することができる。
【００６７】
他のオプションのステップＭ１／４では、移動局ＭＳは、グラフィカル・ユーザ・インターフェース、たとえばいわゆるユーザ・ダイアログ・ボックスを介して、移動局ＭＳのユーザを提示することができる。グラフィカル・ユーザ・インターフェースは、たとえば、タッチスクリーンまたはカーソルを用いるディスプレイでもよい。グラフィカル・ユーザ・インターフェースは、たとえば、送信モード「エコ」、「高パフォーマンス」、または「標準」の３個のボタンを示すことができる。そのような場合、移動局ＭＳがオンになるたびに、ステップＭ１／４を実行することができる。
【００６８】
代替案では、移動局ＭＳのユーザは、グラフィカル・ユーザ・インターフェースを介していわゆる構成チェックボックスにアクセスすることができる。構成チェックボックスは、たとえば、移動局ＭＳの構成メニューの一部でもよく、無線通信ネットワークの選択、バイブレーションのオン／オフ、ＷｉＦｉ（ＷｉＦｉ＝ワイヤレス・フィデリティー）のオン／オフ、Ｂｌｕｅｔｏｏｔｈのオン／オフ、サウンドのオン／オフ、ディスプレイの背景など、共通の設定を含む。移動局ＭＳのユーザは、たとえば、対応するボックスでマークを設定することによって、特定の送信モードに対して事前選択を提供することができる。
【００６９】
次のステップＭ１／５では、移動局ＭＳのユーザまたは移動局ＭＳ自体は、移動局ＭＳからの無線周波数信号ＲＦＳの送信に使用される無線アクセス技術の送信モードを選択する。
【００７０】
送信モードの選択は、移動局ＭＳがオフである、または無線アクセス技術の送信機が無線周波数信号ＲＦＳを送信しない、いわゆる飛行モードに設定されている限り、永久的に行うことができる。
【００７１】
代替案では、送信モードの選択は、分または時間など事前定義された時間に対して行うことができ、事前定義された時間が経過した場合、選択を繰り返すことができる。
【００７２】
他の代替案では、送信モードの選択の期間は、蓄電池のバッテリの充電状態の変更に依存してもよく、かつ／または移動局ＭＳの現在の場所の変更に依存してもよい。
【００７３】
移動局ＭＳ自体が送信モードを選択する場合、選択はステップＭ１／２および／またはステップＭ１／３に基づいてもよい。好ましくは、場所条件ビットが設定される送信モードは、充電状態ビットが設定される送信モードより高い優先度を持つことができる。代替案では、移動局ＭＳは、移動局のユーザによる事前選択に基づいて、ステップＭ１／４、または方法ＭＥＴ１の以前の実行で実行された、送信モードを選択する。
【００７４】
移動局ＭＳのユーザが送信モードを選択する場合、ユーザは、たとえば、自身の指でタッチスクリーンの対応するボタンを押下してもよく、またはカーソルで対応するボタンをクリックしてもよい。
【００７５】
方法ＭＥＴ１は、ステップＭ１／１７に進むことができる。好ましくは、方法ＭＥＴ１は、ステップＭ１／６に継続する。
【００７６】
次のステップＭ１／６では、移動局ＭＳは、選択情報ＳＥＬ−ＩＮＦＯをネットワーク・ノードＮＮに送信し、これは他のステップＭ１／７で選択情報を受信する。選択情報ＳＥＬ−ＩＮＦＯは、ステップＭ１／５によって選択された送信モードの識別子を含むことができる。必要に応じて、移動局ＭＳは、ネットワーク・ノードＮＮに第１の場所情報ＬＯＣ−ＩＮＦＯ１をさらに送信することができる。第１の場所情報ＬＯＣＩＮＦＯ１は、たとえば、ステップＭ１／３で決定された地理的座標を含むことができる。
【００７７】
他のオプションのステップＭ１／８では、ネットワーク・ノードＮＮは、たとえば、ステップＭ１／７で受信される地理的座標に基づいて、無線セルＲＣ内で移動局ＭＳの現在の場所を決定することができる。あるいは、ネットワーク・ノードＮＮは、たとえば、無線通信システムＲＣＳの２つ以上のアンテナ・システムで移動局ＭＳから受信される、アップリンク無線周波数信号の三角測量によって移動局ＭＳの現在の場所を決定することができる。代替案では、移動局ＭＳの現在の場所は、報告されたいわゆるプリコーディング・ベクトルに基づいて、および／または移動局ＭＳから無線通信システムＲＣＳのアンテナ・システムへのアップリンク無線周波数信号の通過時間に基づいて決定することができる。そのような測位方法は当業者に知られており、したがって詳細には記述しない。
【００７８】
移動局ＭＳが無線セルＲＣの端部に位置すると決定された場合、セル・エッジ・ビットをネットワーク・ノードＮＮによって設定することができる。移動局ＭＳが無線セルＲＣの中央に位置すると決定された場合、セル・センター・ビットをネットワーク・ノードＮＮによって設定することができる。ステップＭ１／８の後の次のステップは、ステップＭ１／１３でもよい。あるいは、方法ＭＥＴ１は、ステップＭ１／９に継続することができる。
【００７９】
ステップＭ１／９中に、ネットワーク・ノードＮＮは、データベースＤＢに要求ＲＥＱを送信し、これは他のステップＭ１／１０でデータベースＤＢによって受信される。要求ＲＥＱは、移動局ＭＳの現在の場所から事前定義された距離内における１つまたは複数の事前選択の情報を要求する。したがって、要求ＲＥＱは、移動局ＭＳの現在の場所の地理的座標および第２の場所情報ＬＯＣ−ＩＮＦＯ２としての距離値を含むことができる。好ましくは、要求ＲＥＱは、移動局ＭＳのユーザまたは加入者の識別子ＳＵＢＳＣＲ−ＩＤをさらに含むことができる。
【００８０】
他のステップＭ１／１０−２では、データベースＤＢは、受信された第２の場所情報ＬＯＣ−ＩＮＦＯ２に基づいて１つまたは複数の事前選択を決定する。
【００８１】
好ましくは、データベースＤＢは、すべてのユーザまたはすべての加入者に対して事前定義され、移動局ＭＳの現在の場所から事前定義された距離内にある、事前定義された領域の事前選択をすべて選択する。データベースＤＢが、また、識別子ＳＵＢＳＣＲ−ＩＤを受信した場合、データベースＤＢは、それぞれのユーザまたは加入者に対して事前定義され、かつ／またはそれぞれの加入者がメンバである加入者グループに対して事前定義された、１つまたは複数の事前選択をさらに決定することができる。
【００８２】
次のステップＭ１／１１では、データベースＤＢは、１つまたは複数の事前定義された領域の決定された１つまたは複数の事前選択の情報ＡＲＥＡ−ＩＮＦＯ１をネットワーク・ノードＮＮに送信し、これは他のステップＭ１／１２で情報ＡＲＥＡ−ＩＮＦＯを受信する。情報ＡＲＥＡ−ＩＮＦＯは、たとえば、表１に記載したようなそれぞれの事前定義された領域のすべての列からのデータを含む。あるいは、情報ＡＲＥＡ−ＩＮＦＯは、たとえば、それぞれの事前定義された領域の列１から４のデータを含むことができる。
【００８３】
ネットワーク・ノードＮＮがデータベースＤＢを含む場合、ステップＭ１／９からＭ１／１２は、ノード内部のステップのみである。
【００８４】
次のステップＭ１／１３では、ネットワーク・ノードＮＮは、移動局ＭＳによって、または移動局ＭＳのユーザによって選択された送信モードを承認または拒否する。
【００８５】
承認または拒否は、次の条件の１つまたは複数の検証に基づいてもよい：
移動局ＭＳが現在位置する事前定義された領域は、電磁放射の影響を受けやすい領域としてラベルを付けることができる（表１列４を参照）。そのようなラベルは、無線通信システムＲＣＳのデータ・スループットを最適化するために、無線通信システムＲＣＳのオペレータのターゲットより重要な場合がある。
【００８６】
ネットワーク・ノードＮＮは、セル・エッジ・ビットまたはセル・センター・ビットが移動局ＭＳに対して設定されているかどうかを検証することができる。たとえば、セル・エッジ・ビットが移動局ＭＳに対して設定されている場合、ネットワーク・ノードＮＮは、エコ・モードを拒否することができる。その理由は、そうしなければ、無線通信システムＲＣＳの１つまたは複数のアンテナ・システムで十分な電力を持つ無線周波数信号ＲＦＳが受信されないからである。
【００８７】
ネットワーク・ノードＮＮは、移動局ＭＳのアップリンク無線周波数信号ＲＦＳが、いわゆるＣｏＭＰモード（ＣｏＭＰ＝協調マルチポイント）を適用することによって、無線通信システムＲＣＳによって受信および処理されるものとするか、または移動局ＭＳのアップリンク無線周波数信号ＲＦＳが、無線通信システムＲＣＳの単一アンテナ・システムによって受信されるものとするか、をさらに検証する。無線通信システムＲＣＳは、ＣｏＭＰモードによって、セル端部に位置する移動局をスケジューリングすることができ、移動局から無線通信システムＲＣＳの単一アンテナ・システムへの単一ポイントから単一ポイントへの送信である、非ＣｏＭＰモードによって無線セルの中央に位置する他の移動局をスケジューリングすることができる。無線セルＲＣに対して３ＧＰＰ  ＬＴＥで適用されるようなＰＲＢ（ＰＲＢ＝物理リソース・ブロック）などの無線リソースは、分割してＣｏＭＰモードおよび非ＣｏＭＰモードに対して事前定義することができる。好ましくは、送信パラメータの第１の組は、ＣｏＭＰモードに対して事前定義することができ、送信パラメータの第２の１組は、非ＣｏＭＰモードに対して事前定義することができる。
【００８８】
移動局ＭＳが伝送帯域幅全体を常に使用するＵＭＴＳなどの３Ｇ無線通信システムとは対照的に、ＬＴＥアップリンクでは、リソースは、全伝送帯域幅のごく一部分として割り当てることができる。最も小さなアップリンク・リソースとしてのＰＲＢは、１８０ｋＨｚの帯域幅を持っている。したがって、３ＧＰＰ  ＬＴＥなどのＯＦＤＭ無線通信システムでは、移動局の絶対電力を制御するのではなく、移動局のＰＳＤ（ＰＳＤ＝電力スペクトル密度）を制御するほうが適切である。たとえば、３ＧＰＰ  ＬＴＥの場合には、物理リソース・ブロックごとの送信電力として、移動局の送信ＰＳＤを規定することができる。
【００８９】
３ＧＰＰ  ＬＴＥ、または３ＧＰＰ  ＬＴＥ  Ａｄｖａｎｃｅｄに規定されているＰＵＳＣＨ（ＰＵＳＣＨ＝物理アップリンク共有チャネル）などのアップリンク・チャネルを介したアップリンク送信のための移動局ＭＳの送信電力は、以下の等式に記述されているように、移動局に同時に割り当てられる、物理リソース・ブロックに応じて変動する。
ＰＰＵＳＣＨ，ｃ（ｉ）＝Ｎ・ＰＰＵＳＣＨ，ｃ，ＰＲＢ（ｉ）      （１）
ここで
・ＰＰＵＳＣＨ，ｃ（ｉ）：セルｃにサービスを提供するためのサブフレームｉの移動局の送信電力
・Ｎ：同時に割り当てられた物理リソース・ブロックの数
・ＰＰＵＳＣＨ，ｃ，ＰＲＢ（ｉ）：物理リソース・ブロックごとのサービスを提供するセルｃのサブフレームｉにおける移動局の送信電力
【００９０】
移動局ＭＳの送信電力は、たとえば、標準文書３ＧＰＰ  ＴＳ  ３６．２１３  Ｖ１０．２．０の９ページ、セクション５．１．１に記載の等式に基づく、以下の等式によって計算することができる。
【数１】
2015510294.tif 000006
ここで
・ＰＣＭＡＸ，ｃ（ｉ）：サービスを提供するセルｃのサブフレームｉにおける移動局の構成された最大の送信電力であり、たとえば２３ｄＢｍ
・ＭＰＵＳＣＨ，ｃ（ｉ）：サブフレームｉおよびサービスを提供するセルｃに有効な物理リソース・ブロックの数で表現されたＰＵＳＣＨリソース割り当ての帯域幅
・Ｐｏ＿ＰＵＳＣＨ，ｃ（ｊ）は、ｊ＝０および１に対して上位レイヤから提供されるコンポーネントＰｏ＿ＮＯＭＩＮＡＬ＿ＰＵＳＣＨ，ｃ（Ｊ）およびサービスを提供するセルｃに対してｊ＝０および１に対して上位レイヤによって提供されるコンポーネントＰＯ＿ＵＥ＿ＰＵＳＣＨ，ｃ（Ｊ）の合計から構成されるパラメータであり（より詳細については、３ＧＰＰ  ＴＳ３６．２１３  Ｖ１０．２．０、セクション５．１．１．１を参照）、パラメータｊは、半永続的（たとえばＶｏＩＰに対して）および動的にスケジュールされたリソース、ならびにランダム・アクセス・リソースという、異なるタイプのアップリンク送信間の区別を可能にする。
・断片的な経路損失補償要素αｃは、サービスを提供するセルｃに対して上位レイヤによって提供される３ビットのパラメータでもよい。
・ＰＬｃは、ｄＢでサービスを提供するセルｃに対して移動局ＭＳ１またはＭＳ２で計算されるダウンリンク経路損失推定である（より詳細については、３ＧＰＰ  ＴＳ３６．２１４  Ｖ１０．１．０、セクション５．１．１．１を参照）。
・
【数２】
2015510294.tif 000007
（Ｋｓ＝１．２５の場合）、０（Ｋｓ＝０の場合）であり、ここで、Ｋｓは、各サービスを提供するセルｃに対して上位レイヤによって提供されるパラメータｄｅｌｔａＭＣＳ−Ｅｎａｂｌｅｄから得られ、送信モード２に対してＫｓ＝０である（ＢＰＲＥおよび
【数３】
2015510294.tif 000008
の詳細については、３ＧＰＰ  ＴＳ３６．２１３  Ｖ１０．２．０、セクション５．１．１．１を参照）
・ｆｃ（ｉ）：サービスを提供するセルｃの現在のＰＵＳＣＨ電力制御調整状況（より詳細については、３ＧＰＰ  ＴＳ３６．２１３  Ｖ１０．２．０、セクション５．１．１．１を参照）。
【００９１】
原則として、移動局ＭＳの送信電力は、Ｐｏ＿ＰＵＳＣＨ，Ｃ（ｉ）によって、および断片的な経路損失補償要素αｃによって調整される。ΔＴＦ，ｃ（ｉ）を使用することによって、伝送形式ごとに修正を適用することが可能である。
【００９２】
第１のＩｏＴ値、たとえば１５ｄＢなどは、アップリンクＣｏＭＰモードに対して事前定義することができ、第２のＩｏＴ値、たとえば５ｄＢなどは、１つまたは複数のアップリンクの単一ポイントから単一ポイントへの送信に対して事前定義することができる。第１のＩｏＴ値および第２のＩｏＴ値は、ネットワーク・サーバＮＳによって事前定義することができる。第１の事前定義されたＩｏＴ値および第２の事前定義されたＩｏＴ値の達成は、アンテナ・システムの協調領域の一部として基地局ＢＳで測定を実行することによって、および事前定義された平均時間を通じた測定を平均することによって、定期的にチェックすることができる。
【００９３】
第１のＰｏ＿ＰＵＳＣＨ，ｃ（ｊ）パラメータは、アップリンクＣｏＭＰモードの単一の第１の電力制御パラメータとして事前定義することができ、事前定義された平均時間を通じてアップリンクＣｏＭＰモードに対する第１の事前定義されたＩｏＴ値を維持するように反復的に構成することができる。同様に、第２のＰｏ＿ＰＵＳＣＨ，ｃ（ｊ）パラメータは、１つまたは複数のアップリンクの単一ポイントから単一ポイントへの送信の単一の第２の電力制御パラメータとして事前定義することができ、事前定義された平均時間を通じて１つまたは複数のアップリンクの単一ポイントから単一ポイントへの送信に対する第２の事前定義されたＩｏＴ値を維持するために反復的に構成することができる。
【００９４】
たとえば、第１の事前定義されたＩｏＴ値が、無線セルＲＣの隣接する無線セルにおいて事前定義された時間（たとえば事前定義された平均時間）を超える場合、オーバーロード指標を隣接する無線セルの他の基地局から基地局ＢＳに送信することができる。オーバーロード指標の受信により、それ以上のオーバーロード指標が他の基地局から受信されなくなるまで、第１の事前定義されたＰｏ＿ＰＵＳＣＨ，ｃ（ｊ）パラメータを反復的に低減するように基地局ＢＳがトリガーされる。
【００９５】
他の代替案では、Ｐｏ＿ＰＵＳＣＨ，ｃ（ｊ）パラメータなど第１の電力制御パラメータ、および／または３ビット・パラメータαｃ、および／またはパラメータｄｅｌｔａＭＣＳ−Ｅｎａｂｌｅｄ、および／または上位レイヤ・フィルタードＲＳＲＰ（ｈｉｇｈｅｒ  ｌａｙｅｒ  ｆｉｌｔｅｒｅｄ  ＲＳＲＰ）を構成するためのｐａｔｈｌｏｓｓＲｅｆｅｒｅｎｃｅＬｉｎｋｉｎｇパラメータ、および／または３ＧＰＰ  ＴＳ３６．２１３  Ｖ１０．２．０、セクション５．１．１．１に規定されているような蓄積を可能にするＡｃｃｕｍｕｌａｔｉｏｎ−ｅｎａｂｌｅｄパラメータの組は、ＣｏＭＰモードのネットワーク・ノードで事前定義することができる。したがって、同様のパラメータは、非ＣｏＭＰモードのネットワーク・ノードＮＮで事前定義することができる。
【００９６】
移動局ＭＳから無線通信システムＲＣＳの単一アンテナ・システムまでの単一ポイントから単一ポイントへの送信について、無線通信システムＲＣＳのＩｏＴの運用ポイントは、ＣｏＭＰモードにおける無線通信システムＲＣＳのＩｏＴの運用ポイントよりはるかに低い。これが意味するのは、移動局ＭＳが、たとえば、アップリンクＣｏＭＰモードで送信する場合、移動局ＭＳは、移動局ＭＳが非ＣｏＭＰモードで送信する場合とは異なる電力制御パラメータで運用する必要があるということである。
【００９７】
たとえば、移動局ＭＳが無線セルＲＣの端部に位置するため、ネットワーク・ノードＮＮがＣｏＭＰモードで移動局ＭＳをスケジューリングすることを決定した場合、エコ・モードで無線周波数信号ＲＦＳを送信するための移動局ＭＳの選択は、拒否することができる。
【００９８】
ネットワーク・ノードＮＮが、ＣｏＭＰモードまたは非ＣｏＭＰにおいて移動局ＭＳを運用するのに大きな差はないと決定した場所または条件に移動局ＭＳがある可能性がある場合、移動局ＭＳによって選択された送信モードに適した、そのモードにおける移動局ＭＳをスケジューリングするためのトリガーとして、ネットワーク・ノードＮＮは、移動局ＭＳで送信の選択を使用することができ、ネットワーク・ノードＮＮは、送信モードの選択を承認する。
【００９９】
他のステップＭ１／１４では、ネットワーク・ノードＮＮは、スケジュール情報ＳＣＨＥＤＵＬＥ−ＩＮＦＯを移動局ＭＳに送信し、これは次のステップＭ１／１５でスケジュール情報ＳＣＨＥＤＵＬＥ−ＩＮＦＯを受信する。スケジュール情報ＳＣＨＥＤＵＬＥ−ＩＮＦＯは、たとえば、移動局ＭＳによって無線周波数信号ＲＦＳの次の送信に使用される１つまたは複数のＰＲＢの指示とともに１つまたは複数のいわゆるアップリンク許可を含むことができる。
【０１００】
好ましくは、ネットワーク・ノードＮＮは、決定情報ＤＥＣ−ＩＮＦＯを移動局ＭＳにさらに送信することができる。決定情報ＤＥＣ−ＩＮＦＯは、移動局ＭＳで選択されるような送信モードが承認されるか拒否されるかに関する指示を含み、無線通信システムＲＣＳに必要な送信モードの指示を含むことができる。
【０１０１】
他のオプションのステップＭ１／１６では、移動局ＭＳは、グラフィカル・ユーザ・インターフェースを介して、たとえば、テキスト指示「選択された送信モードを承認（Ｓｅｌｅｃｔｅｄ  ｔｒａｎｓｍｉｓｓｉｏｎ  ｍｏｄｅ  ａｃｃｅｐｔｅｄ）」または他のテキスト指示「選択された送信モードを拒否（Ｓｅｌｅｃｔｅｄ  ｔｒａｎｓｍｉｓｓｉｏｎ  ｍｏｄｅ  ｒｅｊｅｃｔｅｄ）」など、受信された決定情報ＤＥＣ−ＩＮＦＯを移動局ＭＳのユーザに提供することができる。
【０１０２】
次のステップＭ１／１７では、移動局ＭＳは、他のステップＭ１／１８のアンテナ・システムＡＳで受信される、アップリンク・ユーザ・データの送信のために無線周波数信号ＲＦＳを送信する。無線周波数信号ＲＦＳは、移動局ＭＳによって選択される送信モード（たとえばエコ・モード）を用いて、またはネットワーク・ノードＮＮによって必要とされる他の送信モード（たとえば標準モード）を用いて送信される。
【０１０３】
図３ａ）を参照すると、本発明の好ましい実施形態による他の方法ＭＥＴ２−１つの流れ図が示されている。他の方法ＭＥＴ２−１を実行するためのステップの数は重要ではなく、当業者は理解されるように、ステップの数およびステップの順序は、添付された請求項に規定される本発明の範囲から逸脱することなく変えることができる。
【０１０４】
他の方法ＭＥＴ２−１は、方法ＭＥＴ１の後に実行してもよく、または方法ＭＥＴ１と同時に実行してもよい。
【０１０５】
第１のステップＭ２／１では、移動局ＭＳのユーザまたは加入者は、グラフィカル・ユーザ・インターフェースを介して、無線通信システムＲＣＳの１つまたは複数の事前定義された領域に対して送信モードの１つまたは複数の事前選択を追加または削除できるように、移動局ＭＳでコンピュータ・プログラムまたはいわゆるモバイル・アプ（ｍｏｂｉｌｅ  ａｐｐ）を開始することができる。
【０１０６】
他のステップＭ２／２では、移動局ＭＳは、追加された１つまたは複数の事前選択の情報ＡＤＤ−ＩＮＦＯおよび／または削除された１つまたは複数の他の事前選択の他の情報ＤＥＬ−ＩＮＦＯをデータベースＤＢに送信し、データベースは、次のステップＭ２／３で情報ＡＤＤ−ＩＮＦＯおよび／または他の情報ＤＥＬ−ＩＮＦＯを受信する。
【０１０７】
他の代替案では、移動局ＭＳは、ユーザがたとえば距離値パラメータを変更することを希望する場合、既存の事前選択に対する更新情報ＥＤＩＴ−ＩＮＦＯを送信する。新しい事前選択および新しい事前定義された領域による情報ＡＤＤ−ＩＮＦＯは、たとえば、表３に示すような行の列をすべて含む。
【０１０８】
他の情報ＤＥＬ−ＩＮＦＯは、たとえば、データベースＤＢで削除されるべき事前選択に対して１つまたは複数の識別を含む。そのような識別は、表１および表３の一部の場合があるが、話を簡単にするために図示していない。
【０１０９】
他のステップＭ２／４では、データベースＤＢは、受信した情報により更新される。たとえば、移動局ＭＳのユーザが、事前定義された「住宅」領域を更新するために都市Ａから都市Ｂに移転する場合、ステップＭ２／１からＭ２／４を実施することができる（表１を参照）。
【０１１０】
ステップＭ２／１からＭ２／４とは別に後の時点で、他のステップＭ２／５では、移動局ＭＳは、データベースＤＢにダウンロード要求ＤＬ−ＲＥＱを送信し、データベースＤＢは、次のステップＭ２／６でダウンロード要求ＤＬ−ＲＥＱを受信する。ダウンロード要求ＤＬ−ＲＥＱは、データベースＤＢに格納されている、移動局ＭＳのユーザのすべての事前選択、またはそれぞれの町または都市など事前定義された領域の事前選択を要求することができる。
【０１１１】
次のステップＭ２／７では、データベースＤＢは、要求された情報ＡＲＥＡ−ＩＮＦＯ２を移動局ＭＳに送信し、これは他のステップＭ２／８で情報ＡＲＥＡ−ＩＮＦＯ２を受信する。情報ＡＲＥＡ−ＩＮＦＯ２は、事前定義された領域内の移動局ＭＳの送信モードに対する事前選択を含む。
【０１１２】
ユーザが、たとえば、新しい加入者識別モジュールまたは新しい移動局で事前選択および事前定義された領域をダウンロードすることを希望する場合、または移動局ＭＳで事前選択が間違って削除されている場合、ステップＭ２／５からＭ２／８を実施することができる。
【０１１３】
図３ｂ）を参照すると、本発明の他の好ましい実施形態による他の方法ＭＥＴ２−２の流れ図が示されている。他の方法ＭＥＴ２−２を実行するためのステップの数は重要ではなく、当業者は理解されるように、ステップの数およびステップの順序は、添付された請求項に規定される本発明の範囲から逸脱することなく変えることができる。
【０１１４】
他の方法ＭＥＴ２−２は、方法ＭＥＴ１の後に実行してもよく、または方法ＭＥＴ１と同時に実行してもよい。
【０１１５】
第１のステップＭ２／１０では、移動局ＭＳ、または第１のステップＭ２／１０−２ではネットワーク・ノードＮＮは、測位情報ＰＯＳ−ＩＮＦＯをデータベースＤＢに送信し、これは、他のステップＭ２／１１で測位情報ＰＯＳ−ＩＮＦＯを受信する。測位情報ＰＯＳ−ＩＮＦＯは、無線通信システムＲＣＳの通信領域内の移動局ＭＳの現在の場所の情報を含む。
【０１１６】
次のステップＭ２／１２では、データベースＤＢは、移動局ＭＳの現在の場所に対する送信モード情報ＭＯＤＥ−ＩＮＦＯをネットワーク・ノードＮＮに送信し、これは他のステップＭ２／１３で送信モード情報ＭＯＤＥ−ＩＮＦＯを受信する。送信モード情報ＭＯＤＥ−ＩＮＦＯは、移動局が、送信モードの事前定義の使用が望ましい、または必要とされる影響を受けやすい領域にある場合、１つまたは複数の送信モード制限を含むことができる。送信モード制限は、ネットワーク・ノードＮＮには必須またはオプションの場合がある。
【０１１７】
たとえば、ハンドオーバ中に、移動局ＭＳが第１の基地局から、ネットワーク・ノードＮＮである、第２の基地局に移動する場合、ステップＭ２／１０からＭ２／１３を実施することができる。
【０１１８】
図４を参照すると、移動局ＭＳのブロック図が示されている。移動局ＭＳは、アンテナ・システムＭＳ−ＡＳ、アンテナ・システムＭＳ−ＡＳに接続された送受信装置ＭＳ−ＴＲ、送受信装置ＭＳ−ＴＲ、または送受信装置ＭＳ−ＴＲの一部として接続されたＣＰＵ（ＣＰＵ＝中央制御装置）ＭＳ−ＣＰＵ、ＣＰＵ  ＭＳ−ＣＰＵに接続されたコンピュータ可読媒体ＭＭ−ＭＥＭ、ＣＰＵ  ＭＳ−ＣＰＵに接続された測位ユニットＭＳ−ＰＵ、ＣＰＵ  ＭＳ−ＣＰＵに接続された加入者識別モジュールＭＳ−ＳＩＭ、ＣＰＵ  ＭＳ−ＣＰＵに接続されたグラフィカル・ユーザ・インターフェースＭＳ−ＵＩ、および送受信装置ＭＳ−ＴＲ、ＣＰＵ  ＭＳ−ＣＰＵ、測位ユニットＭＳ−ＰＵ、およびグラフィカル・ユーザ・インターフェースＭＳ−ＵＩに接続できる電源ユニットＭＳ−Ｂを含むことができる。
【０１１９】
送受信装置ＭＳ−ＴＲは、特定の無線アクセス技術に専用でもよく、またはＧＳＭ／ＧＰＲＳなど第１の無線アクセス技術と、ＵＭＴＳ、ＬＴＥ、ＷｉＭＡＸなど１つまたは複数の他の無線アクセス技術との間で再構成可能でもよい。移動局ＭＳが異なる無線アクセス技術間で再構成可能な場合、表１、表２、および表３は、それぞれの無線アクセス技術を識別するために他の列を含むことができる。
【０１２０】
コンピュータ可読プログラムＭＳ−ＰＲＯＧ、はコンピュータ可読媒体ＭＳ−ＭＥＭに格納することができる。ＣＰＵ  ＭＳ−ＣＰＵは、コンピュータ可読プログラムＭＳＰＲＯＧを実行するために予見されている。コンピュータ可読プログラムＭＳ−ＰＲＯＧは、移動局ＭＳに関係する、方法ＭＥＴ１および方法ＭＥＴ２のステップを実行および制御するために予見されている。コンピュータ可読媒体ＭＳ−ＭＥＭは、それぞれのデータ配列に表３の情報を含めることができる。代替案では、加入者識別モジュールＭＳ−ＳＩＭは、それぞれのデータ配列（ｄａｔ  ａｒｒａｙ）に表３の情報を含めることができる。
【０１２１】
測位モジュールＭＳ−ＰＵは、たとえば、ステップＭ１／３により移動局ＭＳの現在の場所を決定する、ＧＰＳレシーバでもよい。
【０１２２】
アンテナ・システムＭＳ−ＡＳおよび送受信装置ＭＳ−ＴＲは、無線周波数信号ＲＦＳ、選択情報ＳＥＬ−ＩＮＦＯ、および第１の場所情報ＬＯＣ−ＩＮＦＯ１を送信するために使用される。アンテナ・システムＭＳ−ＡＳおよび送受信装置ＭＳ−ＴＲは、スケジュール情報ＳＣＨＥＤＵＬＥ−ＩＮＦＯおよび決定情報ＤＥＣ−ＩＮＦＯを受信するためにさらに使用される。
【０１２３】
図５を参照すると、ネットワーク・ノードＮＮのブロック図が示されている。ネットワーク・ノードＮＮは、第１のインターフェースＮＮ−ＩＮＴ１、第１のインターフェースＮＮ−ＩＮＴ１に接続された第１の送受信装置ＮＮ−ＴＲ１、第１のインターフェースＮＮ−ＩＮＴ１に接続されたＣＰＵ  ＮＮ−ＣＰＵ、およびコンピュータ可読媒体ＮＮ−ＭＥＭを含むことができる。コンピュータ可読プログラムＮＮ−ＰＲＯＧは、コンピュータ可読媒体ＮＮ−ＭＥＭに格納することができる。ＣＰＵ  ＮＮ−ＣＰＵは、コンピュータ可読プログラムＮＮ−ＰＲＯＧを実行するために予見されている。コンピュータ可読プログラムＮＮ−ＰＲＯＧは、ネットワーク・ノードＮＮに関係する、方法ＭＥＴ１のステップを実行および制御するために予見されている、
【０１２４】
コンピュータ可読媒体ＮＮ−ＭＥＭは、データベースＤＢから受信された、表１の情報をそれぞれのデータ配列に含めることができる。
【０１２５】
ネットワーク・ノードＮＮが基地局ＢＳである場合、ネットワーク・ノードＮＮは、第２のインターフェースＮＮ−ＩＮＴ２、ならびに第２のインターフェースＮＮ−ＩＮＴ２およびＣＰＵ  ＮＮ−ＣＰＵに接続された第２の送受信装置ＮＮ−ＴＲ２をさらに含む。アンテナ・システムＡＳは、第２のインターフェースＮＮ−ＩＮＴ２に接続することができる。
【０１２６】
第１のインターフェースＮＮ−ＩＮＴ１および第１の送受信装置ＮＮ−ＴＲ１は、要求ＲＥＱを送信するために使用される。第１のインターフェースＮＮ−ＩＮＴ１および第１の送受信装置ＮＮ−ＴＲ１は、情報ＡＲＥＡ−ＩＮＦＯを受信するためにさらに使用される。
【０１２７】
第２のインターフェースＮＮ−ＩＮＴ２および第２の送受信装置ＮＮ−ＴＲ２は、スケジュール情報ＳＣＨＥＤＵＬＥ−ＩＮＦＯおよび決定情報ＤＥＣ−ＩＮＦＯを送信するために使用される。第２のインターフェースＮＮ−ＩＮＴ２および第２の送受信装置ＮＮ−ＴＲ２は、選択情報ＳＥＬ−ＩＮＦＯ、第１の場所情報ＬＯＣ−ＩＮＦＯ１、およびアップリンク・ユーザ・データの無線周波数信号ＲＦＳを受信するためにさらに使用される。
【０１２８】
図６を参照すると、アプリケーション・サーバＡＰＰＳのブロック図が示されている。アプリケーション・サーバＡＰＰＳは、事前選択および関連する事前定義された領域の完全な情報を提供する単一のサーバでもよく、またはアプリケーション・サーバＡＰＰＳは、クラウド・コンピューティング・アーキテクチャの一部でもよく、事前選択および関連する事前定義された領域の情報の一部だけを提供する。
【０１２９】
アプリケーション・サーバＡＰＰＳは、インターフェースＡＰＰＳ−ＩＮＴ、インターフェースＡＰＰＳ−ＩＮＴに接続された送受信装置ＡＰＰＳ−ＴＲ、送受信装置ＡＰＰＳ−ＴＲに接続されたＣＰＵ  ＡＰＰＳ−ＣＰＵ、およびコンピュータ可読媒体ＡＰＰＳ−ＭＥＭを含むことができる。コンピュータ可読プログラムＡＰＰＳ−ＰＲＯＧおよびデータベースＤＢは、コンピュータ可読媒体ＡＰＰＳ−ＭＥＭに格納することができる。
【０１３０】
クラウド・コンピューティング・アーキテクチャの場合には、コンピュータ可読媒体ＡＰＰＳ−ＭＥＭは、それぞれのデータ配列に、表１の特定の行の情報または表１の特定の列の情報など、データベースＤＢの一部のみを格納することができる。
【０１３１】
ＣＰＵ  ＡＰＰＳ−ＣＰＵは、コンピュータ可読プログラムＡＰＰＳ−ＰＲＯＧを実行するために予見されている。
【０１３２】
コンピュータ可読プログラムＡＰＰＳ−ＰＲＯＧは、データベースＤＢに関係する、方法ＭＥＴ１および方法ＭＥＴ１のステップを実行および制御するために予見されている。
【０１３３】
インターフェースＡＰＰＳ−ＩＮＴおよび送受信装置ＡＰＰＳ−ＴＲは、情報ＡＲＥＡ−ＩＮＦＯを送信するために使用される。インターフェースＡＰＰＳ−ＩＮＴおよび送受信装置ＡＰＰＳ−ＴＲは、要求ＲＥＱ、情報ＡＤＤ−ＩＮＦＯ、他の情報ＤＥＬ−ＩＮＦＯ、またはさらに他の情報ＥＤＩＴ−ＩＮＦＯなどを受信するためにさらに使用される。
【０１３４】
図７を参照すると、加入者識別モジュールＭＳ−ＳＩＭのブロック図が示されている。加入者識別モジュールＭＳ−ＳＩＭは、従来の加入者識別モジュールに基づいていてもよく、例示的には、第１の接触域ＳＩＭ−ＣＴ１、第２の接触域ＳＩＭ−ＣＴ２、第１の接触域ＳＩＭ−ＣＴ１および第２の接触域ＳＩＭ−ＣＴ２に接続された集積回路ＳＩＭ−ＩＣ、およびプラスチック本体ＳＩＭ−ＢＯＤＹを含むことができる。
【０１３５】
第１の接触域ＳＩＭ−ＣＴ１および第２の接触域ＳＩＭ−ＣＴ２は、図４に示すように加入者識別モジュールＭＳ−ＳＩＭをＣＰＵ  ＭＳ−ＣＰＵに接続するために使用される。
【０１３６】
集積回路ＳＩＭ−ＩＣは、固定記憶装置ＳＩＭ−ＭＥＭを含み、これはたとえば、一意のシリアル番号（ＩＣＣＩＤ＝ＩＣカード識別子）、加入者の国際的に一意な番号（ＩＭＳＩ＝国際移動加入者識別符号）、第１のパスワード（ＰＩＮ＝個人識別番号）、および第２のパスワード（ＰＵＫ＝ＰＩＮロック解除コード）など、よく知られているパラメータを格納する。固定記憶装置ＳＩＭ−ＭＥＭは、それぞれのデータ配列に表１の情報をさらに格納することができる。あるいは、固定記憶装置ＳＩＭ−ＭＥＭは、事前定義された領域に関係なく、エコ・モードＢなど単一の事前選択された送信モードのみを格納することができる。
【０１３７】
上記実施形態の方法ＭＥＴ１および他の方法ＭＥＴ２のステップは、プログラムされたコンピュータによって実行できることを当業者は容易に認識されるだろう。本明細書において、一部の実施形態は、また、たとえば、デジタル・データ記憶メディアなど、プログラム記憶装置を包含することを意図しており、これは機械またはコンピュータで読み取り可能であり、機械で実行可能またはコンピュータで実行可能なプログラム命令を符号化し、前述の指示は、前述の方法のステップの一部またはすべてを実行する。プログラム記憶装置は、たとえば、デジタル・メモリ、磁気ディスクや磁気テープなどの磁気記憶メディア、ハード・ドライブ、または光学的に読み取り可能なデジタル・データ記憶メディアなどでもよい。また、実施形態は、上記の方法の前述したステップを実行するようにプログラムされたコンピュータを包含することを意図するものである。
【０１３８】
記述および図面は、単に本発明の原理を示すものである。本明細書に明示的に記述して示していないが、本発明の原理を具体化し、その精神および範囲に含まれる様々な構成を当業者であれば考案できることを理解されたい。さらに、本明細書に詳述したすべての例は、原則として、読者が本発明の原理、およびその技術を推進する発明者（ら）によって提供された概念を理解するのを支援するために、教育のみを目的とすることを明確に意図するものであり、そのような具体的には詳述された例および条件に限定しないものとして解釈するべきである。さらに、本明細書において、本発明の原理、態様、および実施形態を詳述するすべての記述、およびその特定の例は、その均等物を包含することを意図するものである。
【０１３９】
「・・・ユニット」または「・・・ための手段」として示された機能ブロックは、それぞれ特定の機能を実行するために構成された回路を含む機能ブロックとして理解するものとする。よって、「何らかのもののための手段」は、「何らかのもののために構成された、または適している手段」として理解するべきである。よって、特定の機能を実行するために構成された手段は、そのような手段が前述の機能を（所定の瞬間に）必ずしも実行していることを意味しない。
【０１４０】
図に示す様々な要素の機能は、専用ハードウェア、および適切なソフトウェアと連携してソフトウェアを実行する機能を持つハードウェアの利用を通じて提供することができる。プロセッサによって提供される場合、機能は、単一の専用プロセッサによって、単一の共有プロセッサによって、またはその一部を共有できる複数の個々のプロセッサによって提供することができる。さらに、「プロセッサ」または「コントローラ」という用語の明示的な使用は、ソフトウェアを実行できるハードウェアを排他的に指すものと解釈するべきではなく、デジタル・シグナル・プロセッサ（ＤＳＰ）ハードウェア、ネットワーク・プロセッサ、特定用途向けＩＣ（ＡＳＩＣ）、フィールド・プログラマブル・ゲートアレイ（ＦＰＧＡ）、ソフトウェアを格納するための読み取り専用メモリ（ＲＯＭ）、ランダム・アクセス・メモリ（ＲＡＭ）、および不揮発性記憶装置を限定することなく、暗黙的に含むことができる。従来型および／またはカスタムの他のハードウェアも含むことができる。同様に、図に示されるすべてのスイッチは概念のみを示すものである。それらの機能は、プログラム・ロジックの動作を通じて、専用ロジックを通じて、プログラム制御および専用ロジックの対話を通じて、または手動でも、実行することができ、内容からより明確に理解されるように、特定の技術を実装者が選択可能である。
【０１４１】
本明細書に示すブロック図は、本発明の原理を具体化する実例となる回路についての概念的な視点を表していることは当業者には自明であろう。同様に、そのようなコンピュータまたはプロセッサが明示的に示されているかどうかに関わりなく、任意のフローチャート、流れ図、状態遷移図、擬似コードなどは、コンピュータ可読媒体において本質的に表され、したがって、コンピュータまたはプロセッサによって実行できる様々なプロセスを表していることを理解されたい。
【図１】
2015510294.tif 000009
【図２】
2015510294.tif 000010
【図３】
2015510294.tif 000011
【図４】
2015510294.tif 000012
【図５】
2015510294.tif 000013
【図６】
2015510294.tif 000014
【図７】
2015510294.tif 000015
【国際調査報告】
2015510294.tif 000016
2015510294.tif 000017
2015510294.tif 000018